【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
１種以上の標識物質をポリマーに供給することを含んでなるポリマーの同定方法であって、標識物質が１種以上の有機蛍光染料、１種以上の無機蛍光発色団、１種以上の有機金属蛍光発色団、１種以上の半導体発光ナノ粒子又はこれらの組合せを含み、標識物質が約３５０℃以上の温度安定性を有していて、分光蛍光計によって約１００〜約１１００ナノメートル域の励起波長で標識物質を検出可能な十分な量で存在している、方法。
【請求項２】
標識物質が約３７５℃以上の温度安定性を有する、請求項１記載の方法。
【請求項３】
標識物質が約４００℃以上の温度安定性を有する、請求項１記載の方法。
【請求項４】
標識物質が約２００〜約１０００ナノメートル域に励起波長を有する、請求項１記載の方法。
【請求項５】
標識物質が約２５０〜約９５０ナノメートル域に励起波長を有する、請求項４記載の方法。
【請求項６】
１種以上の蛍光染料がペリレン類を含む、請求項１記載の方法。
【請求項７】
１種以上の蛍光染料が、アントラ［２，１，９−ｄｅｆ：６，５，１０−ｄ’ｅ’ｆ’］ジイソキノリン−１，３，８，１０（２Ｈ，９Ｈ）−テトロン、２，９−ビス［２，６−ビス（１−メチルエチル）フェニル］−５，６，１２，１３−テトラフェノキシ又はこれらの組合せを含む、請求項６記載の方法。
【請求項８】
１種以上の蛍光染料がランタニド錯体を含む、請求項１記載の方法。
【請求項９】
蛍光染料が反ストークスシフト染料である、請求項１記載の方法。
【請求項１０】
１種以上の半導体発光ナノ粒子がＣｄＳ、ＺｎＳ、Ｃｄ3Ｐ2、ＰｂＳ又はこれらの組合せを含む、請求項１記載の方法。
【請求項１１】
１種以上の半導体発光ナノ粒子が、ユウロピウム及びジスプロシウムをドープしたアルミン酸ストロンチウムを含むアルミン酸希土類塩を含む、請求項１記載の方法。
【請求項１２】
標識物質が全ポリマー重量の約１０-18〜約２重量％存在する、請求項１記載の方法。
【請求項１３】
標識物質が全ポリマー重量の約１０-15〜約０．５重量％存在する、請求項１２記載の方法。
【請求項１４】
標識物質が全ポリマー重量の約１０-12〜約０．０５重量％存在する、請求項１３記載の方法。
【請求項１５】
ポリマーが熱可塑性ポリマー材料を含む、請求項１記載の方法。
【請求項１６】
熱可塑性ポリマー材料がポリカーボネートを含む、請求項１５記載の方法。
【請求項１７】
標識物質がコーティング、添加混合、ブレンディング又は共重合によってポリマーに導入される、請求項１記載の方法。
【請求項１８】
ポリマーがデータ記憶媒体に使用される、請求項１記載の方法。
【請求項１９】
ポリマーが着色剤を含む、請求項１記載の方法。
【請求項２０】
標識物質が約１０分未満の期間温度安定性を有する、請求項１記載の方法。
【請求項２１】
標識物質が約１分未満の期間温度安定性を有する、請求項１記載の方法。
【請求項２２】
標識物質が約２０秒未満の期間温度安定性を有する、請求項１記載の方法。
【請求項２３】
１種以上の標識物質をポリカーボネートに供給することを含んでなるポリカーボネートの同定方法であって、標識物質がペリレン類を含んでおり、ペリレン類が約３５０℃以上の温度安定性を有していて、全ポリカーボネート重量の約１０-18〜約２重量％存在し、分光蛍光計によって約１００〜約１１００ナノメートル域の励起波長で検出可能である、方法。
【請求項２４】
標識物質を含んでなるポリマーであって、標識物質が１種以上の有機蛍光染料、１種以上の無機若しくは有機金属蛍光発色団、１種以上の半導体発光ナノ粒子又はこれらの組合せを含み、標識物質が約３５０℃以上の温度安定性を有していて、分光蛍光計によって約１００〜約１１００ナノメートル域の励起波長で標識物質を検出可能な十分な量で存在している、ポリマー。
【請求項２５】
標識物質が約３７５℃以上の温度安定性を有する、請求項２４記載のポリマー。
【請求項２６】
標識物質が約４００℃以上の温度安定性を有する、請求項２４記載のポリマー。
【請求項２７】
１種以上の蛍光染料が約２００〜約１０００ナノメートル域に励起波長を有する、請求項２４記載のポリマー。
【請求項２８】
１種以上の蛍光染料が約２５０〜約９５０ナノメートル域に励起波長を有する、請求項２７記載のポリマー。
【請求項２９】
１種以上の蛍光染料がペリレン類を含む、請求項２４記載のポリマー。
【請求項３０】
１種以上の蛍光染料が、アントラ［２，１，９−ｄｅｆ：６，５，１０−ｄ’ｅ’ｆ’］ジイソキノリン−１，３，８，１０（２Ｈ，９Ｈ）−テトロン、２，９−ビス［２，６−ビス（１−メチルエチル）フェニル］−５，６，１２，１３−テトラフェノキシ又はこれらの組合せを含む、請求項２９記載のポリマー。
【請求項３１】
１種以上の蛍光染料がランタニド錯体を含む、請求項２４記載のポリマー。
【請求項３２】
蛍光染料が反ストークスシフト染料である、請求項２４記載のポリマー。
【請求項３３】
１種以上の半導体発光ナノ粒子がＣｄＳ、ＺｎＳ、Ｃｄ3Ｐ2、ＰｂＳ又はこれらの組合せを含む、請求項２４記載のポリマー。
【請求項３４】
１種以上の半導体発光ナノ粒子が、ユウロピウム及びジスプロシウムをドープしたアルミン酸ストロンチウムを含むアルミン酸希土類塩を含む、請求項２４記載のポリマー。
【請求項３５】
標識物質が全ポリマー重量の約１０-18〜約２重量％存在する、請求項２４記載のポリマー。
【請求項３６】
標識物質が全ポリマー重量の約１０-15〜約０．５重量％存在する、請求項３５記載のポリマー。
【請求項３７】
標識物質が全ポリマー重量の約１０-12〜約０．０５重量％存在する、請求項３６記載のポリマー。
【請求項３８】
ポリマーが熱可塑性ポリマー材料を含む、請求項２４記載のポリマー。
【請求項３９】
熱可塑性ポリマー材料がポリカーボネートを含む、請求項３８記載のポリマー。
【請求項４０】
標識物質がコーティング、添加混合、ブレンディング又は共重合によってポリマーに導入される、請求項２４記載のポリマー。
【請求項４１】
ポリマーがデータ記憶媒体に使用される、請求項２４記載のポリマー。
【請求項４２】
着色剤を含む、請求項２４記載のポリマー。
【請求項４３】
標識物質が約１０分未満の期間温度安定性を有する、請求項２４記載のポリマー。
【請求項４４】
標識物質が約１分未満の期間温度安定性を有する、請求項２４記載のポリマー。
【請求項４５】
標識物質が約２０秒未満の期間温度安定性を有する、請求項２４記載のポリマー。
【請求項４６】
ペリレン類を含んでなるポリカーボネートであって、ペリレン類が約３５０℃以上の温度安定性を有していて、全ポリカーボネート重量の約１０-18〜約２重量％存在し、分光蛍光計によって約１００〜約１１００ナノメートル域の励起波長で検出可能である、ポリカーボネート。
【請求項４７】
請求項２４乃至請求項４５のいずれか１項記載のポリマーを含んでなる製品。
【請求項４８】
ペリレン類を含むポリカーボネートを含んでなるデータ記憶媒体であって、ペリレン類が約３５０℃以上の温度安定性を有していて、全ポリカーボネート重量の約１０-18〜約２重量％存在し、分光蛍光計によって約１００〜約１１００ナノメートル域の励起波長で検出可能である、データ記憶媒体。